(57)【要約】      （修正有）【課題】外筒体或いは内筒体の軸線方向に少なくとも３種類の可動障害子の配列を任意に変更することにより、鍵違いの増大化を得ることができる多種類のシリンダー錠を提供する。【解決手段】内周面にロックカム溝１１を有する外筒体２、外筒体に回動自在に嵌合すると共に半径方向の解錠切欠１３を有する内筒体３、内筒体３に設けられていると共にロックカム溝１１と係脱するロッキングバー１２、内筒体３のタンブラー収容部２７にダンブラーバネ４２のバネ力に抗して半径方向にスライド自在に設けられかつ合鍵のブレードの異なる部位にそれぞれ形成された少なくとも３種類の被係合部分に対応して係合する係合部分４５，５５，６５を有する少なくとも３種類の可動障害子Zとから成り、合鍵のブレードの各被係合部分に可動障害子Zの各係合部分４５，５５，６５が係合することにより、内筒体３が外筒体２に対して相対回動するロータリーディスクタンブラー錠。【選択図】図１７
2014152593.tif 000002
【特許請求の範囲】
【請求項１】
内周面にロックカム溝を有する長筒状の外筒体と、この外筒体に回動自在に嵌合すると共に半径方向の解錠切欠を有する内筒体と、この内筒体に設けられていると共に前記ロックカム溝と係脱するロッキングバーと、前記内筒体のタンブラー収容部にダンブラーバネのバネ力に抗して半径方向にスライド自在に設けられ、かつ合鍵のブレードの異なる部位にそれぞれ形成された少なくとも３種類の被係合部分に対応して係合する係合部分をそれぞれ有する少なくとも３種類の可動障害子とから成り、合鍵のブレードを内筒体のキー孔に差し込んだ時、前記ブレードの各被係合部分に前記可動障害子の各係合部分がそれぞれ係合することにより、所定方向に移動した該可動障害子の各受け入れ凹所が記ロッキングバーの係合板部分に対して一致し、以て、合鍵と共に内筒体を解錠方向へ回動させた時、前記ロックカム溝と前記ロッキングバーとの間に生じる楔作用により、内筒体が外筒体に対して相対回動するロータリーディスクタンブラー錠。
【請求項２】
請求項１に於いて、３種類の可動障害子は、合鍵のブレードの外周面に形成された長溝と窪みとの間に非連通状態に位置し、かつ平面視上前記外周面から中央部寄りの部位に向かって形成された切欠溝と係合する第１ダンブラーと、合鍵のブレードの平面視上の中央部部分にブレードの挿入方向に沿って波状に形成された前記長溝と係合する第２ダンブラーと、合鍵のブレードの側面視上の側壁部分に形成された前記窪みと係合する第３ダンブラーとから成ることを特徴とするロータリーディスクタンブラー錠。
【請求項３】
請求項１に於いて、合鍵は、そのブレードの平坦部の縁部分に形成された切欠溝と、同じく前記平坦部の中央部部分にブレードの挿入方向に沿って波状に形成された長溝と、合鍵のブレードの側端部の中央部分に形成された窪みをそれぞれ有することを特徴とするロータリーディスクタンブラー錠。
【請求項４】
請求項１に於いて、ロックカム溝が、外筒体の軸線を基準にして対称形成され、これに対応して、一対のロッキングバーがそれぞれ付勢バネにより半径外方向に付勢された状態で内筒体の解錠切欠にそれぞれ配設されていることを特徴とするロータリーディスクタンブラー錠。
【請求項５】
請求項１に於いて、第１ダンブラー、第２ダンブラー、第３ダンブラーの内、少なくともいずれか２以上のダンブラーは、ガイド棒を介して二分割されていることを特徴とするロータリーディスクタンブラー錠。
【発明の詳細な説明】
【技術分野】
【０００１】
本発明はロータリーディスクタンブラー錠（シリンダー錠）に関し、特に可動障害子が外筒体の半径方向にスライドする方式のロータリーディスクタンブラー錠（シリンダー錠）に関する。
【背景技術】
【０００２】
特許文献１は、「タンブラー」と称される可動障害子が支軸を中心にして揺動する振り子式のロータリーディスクタンブラー錠である点で、本発明とは技術的原理が相違する。また特許文献２は、本発明と同様に可動障害子が直線移動するスライド方式のロータリーディスクタンブラー錠なので、本発明と技術的原理が同じである。これらの特許文献に記載の公知発明は、「鍵違いの増大化」を図ることができる点で、本発明の課題と共通するものの、錠前を構成する各部材が同一であっても、可動障害子の配列を任意に変更することにより、鍵違いの増大化を得ることができる多種類のシリンダー錠を提供することができないという問題点がある。
【先行技術文献】
【特許文献】
【０００３】
【特許文献１】特許第４００８３０２号
【特許文献２】特開２０１１−７４６１３号
【発明の概要】
【発明が解決しようとする課題】
【０００４】
本発明の所期の目的は、製造時、錠前を構成する各部材が同一であっても、長筒状の外筒体或いは内筒体の軸線方向に少なくとも３種類の可動障害子の配列を任意に変更することにより、鍵違いの増大化を得ることができる多種類のシリンダー錠を提供することである。第２の目的は、３種類の可動障害子の内、少なくとも２種類の可動障害子をそれぞれ二分割し、これらを任意に組み合わせ、さらに鍵違いの増大化を得ることができる多種類のシリンダー錠を提供することである。
【課題を解決するための手段】
【０００５】
本発明のロータリーディスクタンブラー錠は、内周面にロックカム溝を有する長筒状の外筒体と、この外筒体に回動自在に嵌合すると共に半径方向の解錠切欠を有する内筒体と、この内筒体に設けられていると共に前記ロックカム溝と係脱するロッキングバーと、前記内筒体のタンブラー収容部にダンブラーバネのバネ力に抗して半径方向にスライド自在に設けられ、かつ合鍵のブレードの異なる部位にそれぞれ形成された少なくとも３種類の被係合部分に対応して係合する係合部分をそれぞれ有する少なくとも３種類の可動障害子とから成り、合鍵のブレードを内筒体のキー孔に差し込んだ時、前記ブレードの各被係合部分に前記可動障害子の各係合部分がそれぞれ係合することにより、所定方向に移動した該可動障害子の各受け入れ凹所が記ロッキングバーの係合板部分に対して一致し、以て、合鍵と共に内筒体を解錠方向へ回動させた時、前記ロックカム溝と前記ロッキングバーとの間に生じる楔作用により、内筒体が外筒体に対して相対回動することを特徴とする。
【０００６】
上記構成に於いて、３種類の可動障害子は、合鍵のブレードの外周面に形成された長溝と窪みとの間に非連通状態に位置し、かつ平面視上前記外周面から中央部寄りの部位に向かって形成された切欠溝と係合する第１ダンブラーと、合鍵のブレードの平面視上の中央部部分にブレードの挿入方向に沿って波状に形成された前記長溝と係合する第２ダンブラーと、合鍵のブレードの側面視上の側壁部分に形成された前記窪みと係合する第３ダンブラーとから成ることを特徴とする。また、合鍵は、そのブレードの平坦部の縁部分に形成された切欠溝と、同じく前記平坦部の中央部部分にブレードの挿入方向に沿って波状に形成された長溝と、合鍵のブレードの側端部の中央部分に形成された窪みをそれぞれ有することを特徴とする。また、ロックカム溝が、外筒体の軸線を基準にして対称形成され、これに対応して、一対のロッキングバーがそれぞれ付勢バネにより半径外方向に付勢された状態で内筒体の解錠切欠にそれぞれ配設されていることを特徴とする。さらに、第１ダンブラー、第２ダンブラー、第３ダンブラーの内、少なくともいずれか２以上のダンブラーは、ガイド棒を介して二分割されていることを特徴とする。
【発明の効果】
【０００７】
（ａ）請求項１に記載の発明は、製造時、錠前を構成する各部材が同一であっても、長筒状の外筒体或いは内筒体の軸線方向に少なくとも３種類の可動障害子の配列を任意に変更することにより、合鍵のブレードに形成された３種類の被係合部分に対応して係合する係合部分をそれぞれ有する前記３種類の可動障害子の存在によって、鍵違いの増大化を得ることができる多種類のシリンダー錠を提供することができる。
（ｂ）請求項２に記載の発明は、３種類の可動障害子は、合鍵のブレードの外周面に形成された長溝と窪みとの間に非連通状態に位置し、かつ平面視上前記外周面から中央部寄りの部位に向かって形成された切欠溝と係合する第１ダンブラーと、合鍵のブレードの平面視上の中央部部分にブレードの挿入方向に沿って波状に形成された前記長溝と係合する第２ダンブラーと、合鍵のブレードの側面視上の側壁部分に形成された前記窪みと係合する第３ダンブラーから成るので、合鍵のブレードの半径方向の縦断面形状が円形状、小判形状、一側上面及び一側下面がそれぞれ円弧状等の円形状の合鍵、又は前記縦断面形状が四角形以外の五角形、六角形等の多角形の合鍵にも適用することができる。
（ｃ）請求項３に記載の発明は、合鍵は、そのブレードの平坦部の縁部分に形成された切欠溝と、同じく前記平坦部の中央部部分にブレードの挿入方向に沿って波状に形成された長溝と、合鍵のブレードの側端部の中央部分に形成された窪みをそれぞれ有するので、前記ブレードが普通一般に使用されている長板状の合鍵に適用することができる。
（ｄ）請求項４に記載の発明は、ロッキングバーの数が増えるので、より解錠が困難なシリンダー錠を提供することができる。
（ｅ）請求項５に記載の発明は、３種類の可動障害子の内、少なくとも２種類の可動障害子をそれぞれ二分割し、これらを任意に組み合わせるので、さらに鍵違いの増大化を得ることができる多種類のシリンダー錠を提供することができる。
【図面の簡単な説明】
【０００８】
図１乃至図３０は本発明の第１実施形態を示す各説明図。図３１至図４１は本発明の他の実施形態を示す各説明図。
【図１】使用態様の一例を示す外観斜視図。
【図２】図１で示したタンブラー錠Ｘの軸線０を含む面で切断した概略縦断面図。
【図３】合鍵の挿入方向Ａに直交する面で切断した概略縦断面図（第１タンブラーが見える）。
【図４】外筒体の概略断面図。
【図５】内筒体を構成する主たる部材の概略説明図。
【図６】第１タンブラーの正面図。
【図７】図６の７−７線断面図。
【図８】図６の８−８線断面図。
【図９】合鍵の挿入方向Ａに直交する面で切断した概略縦断面図（第２タンブラーが見える）。
【図１０】第２タンブラーの正面図。
【図１１】図１０の１１−１１線断面図。
【図１２】図１０の１２−１２線断面図。
【図１３】合鍵の挿入方向Ａに直交する面で切断した概略縦断面図（第３タンブラーが見える）。
【図１４】第３タンブラーの正面図。
【図１５】図１４の１５−１５線断面図。
【図１６】図１４の１６−１６線断面図。
【図１７】シリンダー錠の内部構造を示す説明図（断面の位置によって第１乃至第３タンブラーが見える）。
【図１８】合鍵のブレードの一例を示す斜視からの説明図。
【図１９】ブレードの異なる部位に「３種類の被係合部分」が存在することを示す便宜的な説明図。
【図２０】図１９の２０−２０線断面図。
【図２１】図１９の２１−２１線断面図。
【図２２】図１９の２２−２２線断面図。
【図２３】３種類の可動障害子Ｘの各係合部分４５、５５、６５との係合関係を示す概略説明図。
【図２４】図３に於いて、第１タンブラーが解錠位置へ移動した概略縦断面図。
【図２５】図９に於いて、第２タンブラーが解錠位置へ移動した概略縦断面図。
【図２６】図１３に於いて、第３タンブラーが解錠位置へ移動した概略縦断面図。
【図２７】図２４に於いて、合鍵Ｙと共に内筒体３を解錠方向へ回動させた途中時の概略縦断面図。
【図２８】図２５に於いて、合鍵Ｙと共に内筒体３を解錠方向へ回動させた途中時の概略縦断面図。
【図２９】図２６に於いて、合鍵Ｙと共に内筒体３を解錠方向へ回動させた途中時の概略縦断面図。
【図３０】（ａ）と（ｂ）と（ｃ）は、第１乃至第３タンブラーの配列パターン（例えば便宜上６枚で組み合わせた場合）の一例を示す説明図。
【図３１】本発明を構成する第１タンブラーの異なる実施形態を示す概略説明図（上下に二分割）。
【図３２】図３１の要部（第１タンブラー）の正面図。
【図３３】本発明を構成する第２タンブラーの異なる実施形態を示す概略説明図（上下に二分割）。
【図３４】図３３の要部（第２タンブラー）の正面図。
【図３５】合鍵の第２実施形態を示す斜視図。
【図３６】図３５の３６−３６線概略断面説明図。
【図３７】（ａ）は第１タンブラーの第１係合部分と合鍵の切欠溝ａとの係合を示す概略説明図、（ｂ）は第２タンブラーの第２係合部分と合鍵の長溝ｂとの係合を示す概略説明図、（ｃ）は第３タンブラーの第３係合部分と合鍵の窪みｃとの係合を示す概略説明図。
【図３８】本発明を構成する第３タンブラーの異なる実施形態を示す概略説明図（上下に二分割）
【図３９】図３８の要部（第３タンブラー）の正面図。
【図４０】合鍵の第３実施形態を示す斜視図。
【図４１】図４０の４１−４１線概略断面説明図。
【発明を実施するための最良の形態】
【０００９】
図１乃至図３０は、本発明の一実施形態のロータリーディスクタンブラー錠Ｘ（以下、「タンブラー錠」という。）の各説明図である。図１は本発明のタンブラー錠Ｘを扉１の壁部１ａに取り付け、それと共に合鍵Ｙを示した外観斜視図である。まずこの図１に於いて、Ｘはタンブラー錠で、このタンブラー錠Ｘは合鍵Ｙの操作力により、複数の部材を組み合わせて形成された内筒体３が長筒状の外筒体２に対して相対回動する。
【００１０】
実施形態では、扉１（例えば、住宅の扉、自動販売機の扉など）の壁部１ａにタンブラー錠Ｘが水平状態に固着され、前記内筒体３を構成する錠先端部４に化粧カバー５が外嵌合している。
【００１１】
図１で示すようにキー孔６を有する錠先端部４及び化粧カバー５は、壁部１ａの外壁面から突出している。また内筒体３を構成する錠後端部７は、外筒体２あるいは内筒体３の軸線０上に位置するテールピース（出力片）８を有している。なお、符号Ａは合鍵Ｙの挿入方向である。本発明のタンブラー錠Ｘは、後述の可動障害子Ｚの係合部分４５、５５、６５及び該係合部分に対応する合鍵Ｙの被係合部分ａ、ｂ、ｃに特徴がある。
【００１２】
次に、図２は図１で示したタンブラー錠Ｘの軸線０を含む面で切断した概略縦断面図である。一方、図３は合鍵Ｙの挿入方向Ａに直交する面で切断した概略縦断面図である。図２及び図３を参照してタンブラー錠Ｘの基本的な構成部材を説明する。
【００１３】
前述したように、２は長筒状の外筒体で、この外筒体の内周面２ａには、該外筒体２の母線に沿ってロックカム溝１１が形成されている（図４参照）。実施形態では、略ハの字形あるいは略逆ハの字形の一対のロックカム溝１１が母線に沿って、かつ外筒体２の軸線０を基準にして上下の中心部に対称に形成されている。実施形態では外筒体２の上下にロックカム溝１１、１１が設けられていることから、これに対応して一対のロッキングバー１２、１２が上下に配設されている。
【００１４】
図３で示すように、ロッキングバー１２は、外筒体２のロックカム溝１１に対して係脱する外側の尖頭部１２ａと、この尖頭部に連設形成された内側の係合板部分１２ｂとから成り、内筒体３の外周端部に形成された該内筒体の長手方向の解錠切欠１３に適宜に組み込まれている。そして、図２で示すように、内筒体３の錠先端部４の後方に配設された前側の付勢バネ１４と、錠後端部７の内端部に配設された後側の付勢バネ１４により、各ロッキングバー１２は内筒体３の半径外方向にそれぞれ常時付勢されている。
【００１５】
次に図５は、主に内筒体３を構成する部材を、説明の便宜上、適宜に判り易く示した概略説明図である。実施形態の内筒体３は、中心部にキー孔６を有する錠先端部４と、出力突起片としてのテールピース８を中心部に有する錠後端部７と、この錠後端部７と前記錠先端部４との間に設けられ、かつ該軸線方向と直交する複数の仕切板１６によって区画形成される複数のタンブラー収容部２７並びに複数のタンブラーバネ用収容部２８、不番の仕切板用スロット、軸線方向の解錠切欠１３等を有すると共に、断面弧状の上下の分割体を複数の仕切板等を介して長筒状に形成された内筒本体１５と、この内筒本体に軸線方向に沿って列状に併設されていると共に該軸線方向と直交し、かつ前記タンブラー収容部２７及びダンブラーバネ収容部２８を形成する複数のトラック形状の仕切板１６と、前記内筒本体１５の一端開口２７ａから差し込まれた前記仕切板１６の連結孔１８を貫通して前記錠先端部４及び錠後端部７に架設された所定長の連結棒１９と、同じく前記仕切板１６の貫通小孔２１を貫通して前記錠先端部４及び錠後端部７に架設された所定長のガイド兼連結棒２２とから成る。
【００１６】
ここで、図２、図３及び図５を参照にして、さらに内筒体３の構成を説明する。まず図３及び図５を参照にすると、錠先端部４は、短筒状のヘッド部分４ａと、このヘッド部分４ａに連設する環状のフランジ部分４ｂを有し、前述したようにその中心部にキー孔６が形成されている。キー孔６の形状や大きさは、合鍵ＹのブレードＢに対応して適宜に形成されている。そして、前記ヘッド部分４ａの先端面は、前記キー孔６に向かってすり鉢形状に形成された案内曲面となっている。また、前記キー孔６の同心円上には、錠先端部４の後端面から内部に向かって所定長の前支持孔２５が形成されている。実施形態では二本の連結棒１９を用いているので、前支持孔２５は所定間隔を有して上下に一対設けられている。
【００１７】
次に図２を参照にすると、２６は錠先端部４のフランジ部分４ｂの後端面に面接触するように内筒本体１５の先端部に組み込まれた防御プレートで、この防御プレート２６は適宜に焼き入れされていると共に、その中心部にキー孔６と一致する不番の中心孔、その中心部寄りの部位に前支持孔２５と一致する不番の挿通孔等が適宜に形成されている。なお、防御プレート２６は、例えば内筒本体１５の先端部の上方に形成された長孔状の切欠部分を介して内筒本体１５内に組み込まれる。
【００１８】
次に５図を基準にすると、内筒本体１５は、ハッチングで示した上下の段差状実体部分１５ａ、１５ａを除き、外周の一端部（図面上、右側）が幅広く、一方、他端部（図面上、左側）が幅狭のタンブラー収容部２７を有している。このタンブラー収容部２７は、前述したように、複数のトラック形状の仕切板１６を内筒本体１５に側壁部分に形成された一端開口２７ａから差し込まれることによって、例えば１１個の仕切り空間として形成される（図２参照）。
【００１９】
しかして、図５で示すように、トラック形状の仕切板１６によって区画された一つのタンブラー収容部２７（手前に見える非ハッチングの部分）は、上下のタンブラーバネ用収容部２８と連通すると共に、その上下・左右の幅は、後述する可動障害子（３種類のタンブラー）Ｚの外周形状に対応して適宜に設定される。実施形態では、一つのタンブラー収容部２７の間口に相当する一端開口２７ａは幅広く、上下の段差状ストッパー面１５ｂ、１５ｂ側の奥口に相当する他端開口２７ｂは幅狭である。このタンブラー収容部２７は、実施形態では合鍵Ｙの挿入方向Ａに仕切板１６を介して列状に合計１１個設けられている。
【００２０】
しかして、１３は内筒本体１５の上部と下部に対称的に形成された解錠切欠で、この解錠切欠１３は前述した上下の実体部分１５ａ、１５ａの中央部に半径内方向に向かって段差状に形成され、その外側幅広切欠１３ａはロッキングバー１２の尖端部１２ａを嵌合案内し、一方、タンブラー収容部２７と連通する内側幅狭切欠１３ｂは前記ロッキングバー１２の係合板部分１２ｂを嵌合案内する。２８はタンブラー収容部２７内の適宜箇所に形成されたバネ端支持面を有するタンブラーバネ収容部で、実施形態では、上下の段差状実体部分１５ａ、１５ａの内側に対向して水平方向に一対設けられている。
【００２１】
次に同様に図５を参照にして仕切板１６を説明する。なお、設計如何によっては仕切板１６を円形や楕円形に形成し、内筒本体１５の解錠切欠１３と一致する仕切板解錠切欠を形成しても良いが、実施形態では、外観上、図５で示すようなトラック形状に形成している。また設計如何によっては、複数の仕切板１６を内筒本体１５自体に一体形成しても良い。本実施形態では、出願人が提案した特許第４００８３０２号の特許発明（図３、図４）と同様に、内筒本体１５と仕切板１６は別個の部材であり、二つの弧状分割片を一体的に組み合わせて内筒本体１５を形成した後に、該内筒本体１５に多数の仕切板１６を一体的に組み込み、タンブラー収容部２７を区画形成している。
【００２２】
ところで、両端部又は挿入部端（図面上、左端部）が弧状の嵌合突片を有するトラック形状の仕切板１６は、矩形状の連結孔１８、小円形状の貫通小孔２１及び中央部に形成された横長矩形状の案内開口２９を有する。
【００２３】
次に図２と図５を参照にして錠後端部７側の構成を説明する。前述したように、錠後端部７はテールピース８を有するが、該テールピース８は、外筒体２の後端部に設けられたワッシヤーリング３１ａ、ストッパーリング３１ｂ等の止め具３１を介して外筒体２の後端部内に回動自在に嵌合するテールプラグ３２の中心部に取付けられている。
【００２４】
錠後端部７を構成するテールプラグ３２は、錠先端部４と同様に連結棒１９の後端部を支持する後支持孔３３を一対有している。連結棒１９は、内筒本体１５に組み込まれた後述の可動障害子Ｚ及び仕切板１６を貫通した状態で、その先端部は前支持孔２５に、一方、後端部は後支持孔３３に支持され、実施形態では、前記前支持孔２５に組み込まれた連結棒付勢バネ３４によって錠後端部７の方向に付勢されている。またガイド兼連結棒２２も連結棒１９と同様に可動障害子Ｚ及び仕切板１６を貫通した状態で、図示しない前後の支持孔にそれぞれ支持されている。
【００２５】
ここから本発明の特徴事項について説明する。まず図６乃至図８を参照にして環状に形成された可動障害子Ｚを説明する。図６は可動障害子Ｚを構成する３種類のタンブラーの内の第１タンブラー４１の正面図である。この図６を基準にすると、右側の大きな弧状に形成された右端部（ここでは「一端部４１ａ」とする）は、外筒体２の内周面２ａの曲率に対応して形成されているので、ダンブラーバネ４２に付勢されている状態（施錠状態）では、外筒体２の内周面２ａに圧接する。左側の小さな弧状端面を有する突起状の左端部（ここでは「突起状他端部４１ｂ」とする）は、解錠時、タンブラー収容部２７を構成する左側の他端開口２７ｂに係入可能であると共に、その小さな弧状端面は外筒体２の内周面２ａにも当接可能である。水平面を有する上側の端部（ここでは「上端部４１ｃ」とする）は、ロッキングバー１２の係合板部分１２用の受け入れ凹所４８を有し、水平面を有する下側の端部（ここでは「下端部４１ｄ」とする）も、同様に前記係合板部分１２用の受け入れ凹所４８を有する。なお、後述するように可動障害子Ｚは、鍵違いの増大化を図るためにその中心部を水平方向に切断して「ニ分割」にしても良いが、実施形態では全体として非真円形状の環状板体に形成している。
【００２６】
しかして、４３は中心部に形成されたブレード用貫通孔で、このブレード用貫通孔４３は、実施形態では内周縁としての左右の垂直端４３ａと上下の水平端４３ｂを有する横方向の矩形状に形成されている。そして、ブレード用貫通孔４３を形成する左右の垂直端４３ａ、４３ａの略中央部分には、ブレード用貫通孔４３と連通する半径外方向の小さな切欠溝４４、４４が対向状態に形成され、これにより、小さな切欠溝４４の水平端とブレード用貫通孔４３の前記垂直端４３ａが略直交状態に交わる角部分（実施形態では４個）が、例えば合鍵ＹのブレードＢの平坦部７１の縁部分７１ａに形成された切欠溝ａと係合する第１係合部分４５に相当する。実施形態では、前記第１係合部分４５は合鍵Ｙの平坦部７１の一側上面と一側下面に形成された上下一対の切欠溝ａに係合するように上下に一対形成されている。それ故に、前記切欠溝ａと前記第１係合部分４５の係合位置如何によって、第１タンブラー４１のスライト位置が決定付けられる。
【００２７】
４６はブレード用貫通孔４３を挟むように上下に形成された連結棒１９用貫通孔で、この連結棒１９用貫通孔４６は、第１タンブラー４１がダンブラーバネ４２のバネ力に抗して図面上左側にスライドすることから、長孔矩形状に形成されている。したがって、連結棒１９用貫通孔４６は第１タンブラー４１を案内する案内長孔としての機能を果たす。さらに、４７は一端部４１ａと突起状他端部４１ｂに一対形成された案内長孔で、これらの案内長孔４７にはガイド兼連結棒２２がそれぞれ挿通する。
【００２８】
次に、図９乃至図１２を参照にして環状に形成された第２の可動障害子Ｚを説明する。図９は図３と同様の縦断面図で、内筒本体１５の各タンブラー収容部２７内にそれぞれダンブラーバネ４２に付勢された状態で外筒体２の内周面２ａに大きな弧状面の一端部が圧接した状態で見えるのが第２タンブラー５１である。
【００２９】
したがって、図１０は可動障害子Ｚを構成する３種類のタンブラーの内の第２タンブラー５１の正面図である。この第２タンブラー５１は、ブレード用貫通孔５３及び該ブレード用貫通孔５３を形成する上下の水平端５３ｂの中央部に半径内方向に突設形成された第２係合部分５５を除き、その余の構成は前述した第１タンブラー４１と同様なので、説明の便宜上、同一の符号を付して重複する説明を割愛する。
【００３０】
なお、図１０で示すように、第１タンブラー４１の場合と同様に上下左右の各端部は、ここでも「一端部５１ａ」、「突起状他端部５１ｂ」、「上端部５１ｃ」、「下端部５１ｄ」とする。この第２タンブラー５１も第１タンブラー４１と同様に非真円形状の環状形態であるが、鍵違いの増大化を図るためにその中心部を水平方向に切断して「ニ分割」にしても良い。
【００３１】
しかして、第１タンブラー４１の第１係合部分４５と異なる第２タンブラー５１の前記第２係合部分５５は、ブレードＢの平坦部７１の中央部部分にブレードＢの挿入方向に沿って波状に形成された長溝ｂと係合する。付言すると、前記長溝ｂと前記第２係合部分５５の係合位置如何によって、第２タンブラー５１のスライト位置が決定付けられる。
【００３２】
図１３乃至図１６を参照にして環状に形成された第３の可動障害子Ｚを説明する。図１３は図３（図９）と同様の縦断面図で、内筒本体１５の各タンブラー収容部２７内にそれぞれダンブラーバネ４２に付勢された状態で外筒体２の内周面２ａに大きな弧状面の一端部が圧接した状態で見えるのが第３タンブラー６１である。
【００３３】
したがって、図１４は可動障害子Ｚを構成する３種類のタンブラーの内の第３タンブラー５１の正面図である。この第３タンブラー６１は、ブレード用貫通孔６３及び該ブレード用貫通孔６３を形成する左右の垂直端６３ａのいずれか一方（実施形態）又は両方の中央部に半径内方向に突設形成された第３係合部分６５を除き、その余の構成は前述した第１タンブラー４１や第２タンブラー５１と同様なので、説明の便宜上、第１タンブラー４１と同一の符号を付して重複する説明を割愛する。
【００３４】
なお、図１４で示すように、第１タンブラー４１の場合と同様に上下左右の各端部は、ここでも「一端部６１ａ」、「突起状他端部６１ｂ」、「上端部６１ｃ」、「下端部６１ｄ」とする。
【００３５】
しかして、第１タンブラー４１の第１係合部分４５と異なる第３タンブラー６１の前記第３係合部分６５は、ブレードＢの平坦部７１の側端部の中央部分に形成された窪みｃと係合する。付言すると、前記窪みｃと前記第３係合部分６５の係合位置如何によって、第２タンブラー５１のスライト位置が決定付けられる。
【００３６】
図１７は、本発明のシリンダー錠が、内周面２ａにロックカム溝１１を有する外筒体２と、この外筒体２に回動自在に嵌合すると共に半径方向の解錠切欠１３を有する内筒体３と、この内筒体３に設けられていると共に前記ロックカム溝１１と係脱するロッキングバー１２（一つでも良い）と、前記内筒体３のタンブラー収容部２７にダンブラーバネ４２のバネ力に抗して半径方向にスライド自在に設けられ、かつ合鍵ＹのブレードＢの異なる部位にそれぞれ形成された少なくとも３種類の被係合部分（望ましくは大小の切欠溝ａと、波状の長溝ｂと、望ましくは大小の窪みｃ）に対応して係合する３種類の係合部分（第１係合部分４５、第２係合部分５５、第３係合部分６５）をそれぞれ有する少なくとも３種類の可動障害子Ｚとから成ることを示す。
【００３７】
図１８乃至図２３を参照にして、本発明の合鍵Ｙの一例を説明する。これらの図に於いて、Ｙは合鍵、Ｂはブレード（差し込み部分）、７１は平坦部、７１ａは平坦部の一側上面、７１ｂは平坦部の一側下面、ｂは合鍵のブレードの平面視上或いは斜視上の中央部部分にブレードの挿入方向に沿って波状に形成された長溝、ｃはブレードＢの側面視上の側壁部分の略中央部に形成された窪み、ａは前記長溝ｂと窪みｃとの間に非連通状態に位置し、かつ平面視上或いは斜視上の外周面（一側上面７１）の縁部から中央部寄りの部位に向かって形成された切欠溝である。
【００３８】
付言すると、実施形態の合鍵Ｙは、４つの直線状縁部を有する長板状ブレードＢの平坦部７１の前記縁部分７１ａに幅方向に形成された複数の切欠溝ａと、同じく前記平坦部の中央部部分にブレードＢの挿入方向に沿って一本の波状に形成された長溝ｂと、ブレードＢの側端部の中央部分に形成された複数の窪みｃをそれぞれ有し、一方、実施形態の３種類の可動障害子Ｚは、合鍵ＹのブレードＢの平坦面（実施形態では一側上面及び一側下面）に形成された長溝ｂと左右の側壁面に形成された窪みｃとの間に非連通状態に位置し、かつ平面視上或いは斜視上、直線状縁部から中央部寄りの部位に向かって形成された大小複数の切欠溝ａと係合する第１ダンブラー４１と、合鍵ＹのブレードＢの平面視上或いは斜視上の中央部部分にブレードの挿入方向に沿って波状に形成された前記長溝ｂと係合する第２ダンブラー５１と、合鍵ＹのブレードＢの側面視上の側壁部分に形成された前記窪みｃと係合する第３ダンブラー６１とから成る。
【００３９】
なお、図１９はブレードＢの外面の適宜箇所に形成された切欠溝ａと、長溝ｂ及び窪みｃを判り易く示したものである。また図２３は、３種類の可動障害子Ｘの各係合部分４５、５５、６５との係合関係を概略的に示したものである。
【００４０】
図２４乃至図２６は、合鍵Ｙをキー孔６に差し込んだ場合に於における３種類の可動障害子Ｚのスライド位置をそれぞれ示している。合鍵ＹのブレードＢを内筒体３のキー孔６に差し込んだ時、前記ブレードＢの各被係合部分（切欠溝ａ、長溝ｂ及び窪みｃ）に前記可動障害子Ｚの各係合部分（第１係合部分４５、第２係合部分５５、第３係合部分６５）がそれぞれ係合することにより、所定方向へ移動した該可動障害子Ｚの各受け入れ凹所４８がロッキングバー１２の係合板部分１２ｂに対して完全に一致する。
【００４１】
図２７乃至図２９は、図２４乃至図２６の状態に於いて、合鍵Ｙと共に内筒体３を解錠方向へ回動させた時、ロックカム溝１１とロッキングバー１２との間に生じる楔作用により、内筒体３が外筒体２に対して相対回動することを示す。本発明は可動障害子Ｚがタンブラーバネ４２のバネ力に抗して、その受け入れ凹所４８がロッキングバー１２の係合板部分１２ｂと整合する点で、基本的には可動障害子Ｚが外筒体の半径方向にスライドする方式のロータリーディスクタンブラー錠である点で、可動障害子Ｚが支軸を中心にして揺動する振り子式のロータリーディスクタンブラー錠（特許第４００８３０２号の特許発明）とは技術的原理が相違する。
【実施例】
【００４２】
まず実施形態では、第１乃至第３タンブラーの形状を任意に設計変更することができる。また図３１及び図３２は、本発明を構成する第１タンブラー４１の異なる実施形態を示す概略説明図で、該第１タンブラー４１Ａは上下に二分割されている。また図３３及び図３４は、本発明を構成する第２タンブラー５１の異なる実施形態を示す概略説明図で、該第１タンブラー５１Ａも、図３１等で示す第１タンブラー４１Ａと同様に上下に二分割されている。なお、第３タンブラー６１には変更はない。このように構成すると、３種類の可動障害子Ｚの内、少なくとも２種類の可動障害子をそれぞれ二分割し、これらの上下を任意に組み合わせることで、さらに鍵違いの増大化を得ることができる多種類のシリンダー錠を提供することができる。
【００４３】
次に、図３５は合鍵の第２実施形態を示す斜視図である。実施形態の合鍵ＹのブレードＢは、普通一般に使用されている長板のものであるが、例えば合鍵Ｙ１のブレードＢ１は、長板のものではなく、図３５及び図３６に示すように外周面の一部又は全部が曲線状に形成された棒状のものであっても良い。この場合には、ブレードＢ１に「明確な縁部」が存在しないものもあり得るので、図３６の概略断面説明図を参照にして、第１乃至第３タンブラー４１Ａ、５１Ａ、６１の３種類の各係合部分（第１係合部分４５、第２係合部分５５、第３係合部分６５）に対応するブレードＢ１の３種類の各被係合部分（切欠溝ａ、波状長溝ｂ、窪みｃ）の形成位置を説明すると次の通りである。
【００４４】
すなわち、図３６に於いて、ＨはブレードＢ１の断面の中心部（軸線）Ｏと直交する水平線とし、一方、Ｖを前記中心部（軸線）Ｏと直交する垂直線とした場合に於いて、前記垂直線Ｖが通るブレードＢ１の外周面の一部に前記波状長溝ｂが形成され、この波状長溝ｂの形成位置に対して略９０度と成る前記水平線Ｈが通るブレードＢ１の外周面の一部に前記窪みｃが形成され、さらに、前記波状長溝ｂと前記窪みｃの間で、これらの被係合部分と連通しないようにブレードＢ１の外周面の一部に前記切欠溝ａがブレードＢ１の中心部寄りの部位に向かって形成されている。実施形態では、前記窪みｃはすり鉢形状であり、また前記切欠溝ａは端面Ｌ字形状である。
【００４５】
しかして、図３７の（ａ）は上下に二分割した第１タンブラー４１Ａの第１係合部分４５と合鍵ＹＩのブレードＢ１の切欠溝ａとの係合を示す概略説明図、図３７の（ｂ）は上下に二分割した第２タンブラー５１Ａの第２係合部分５５と前記ブレードＢ１の長溝ｂとの係合を示す概略説明図、図３７の（ｃ）は第３タンブラー６１の第３係合部分６５とブレードＢ１の窪みｃとの係合を示す概略説明図である。
【００４６】
ところで、図３７の（ａ）乃至（ｃ）は、第１ダンブラー４１Ａ、第２ダンブラー５１Ａの２種類のみ二分割されている実施形態であるが、次に説明するように第３ダンブラー６１Ａも、前記第１ダンブラー４１Ａや第２ダンブラー５１Ａと同様に二分割しても良い。
【００４７】
すなわち、第１ダンブラー、第２ダンブラー及び第３ダンブラーの全部が、複数のガイド棒２２を介して二分割されている実施形態である。そこで、念のために図３８及び図３９は、第３ダンブラー６１Ａもガイド棒を介して二分割されていることを示す。
ここで、図３９を参照にして第１実施形態の第３ダンブラー６１（図１４）との相違点を簡単に説明すると、第３ダンブラー６１Ａは上下に二分割されていることから、第１実施形態の第３ダンブラー６１の中央部の左右の案内長孔４７が、第３ダンブラー６１Ａでは左右に切断された空間部分４７Ａ、４７Ａとなっている。その余の構成は第３ダンブラー６１（図１４）と同様なので、同一の符号を付して重複する説明を割愛する。
【００４８】
図４０及び図４１は、タンブラー錠が第３ダンブラー６１Ａを採用した場合に使用される合鍵Ｙ２の第３実施形態を示す各説明図である。この合鍵Ｙ２は、第２実施形態の合鍵Ｙ１の設計変更例であるから、合鍵Ｙ１と同一の部分には同一の符号を付して重複する説明を省略する。この合鍵Ｙ２は、第３ダンブラー６１Ａの突起状の上下の係合部分６５、６５に対応するように、断面トラック形状の左右の側壁部分に上下の窪みｃ、ｃがそれぞれ形成され、これら上下の窪みｃ、ｃは、ブレードＢ１の長手方向（合鍵の挿入方向）に所要間隔を有して複数個形成されている。
【００４９】
以上のように、他の実施形態では、第１ダンブラー、第２ダンブラー、第３ダンブラーの内、少なくともいずれか２以上のダンブラーは、ガイド棒を介して二分割されているので、列方向の上下のダンブラーを任意に組み合わせ、さらに複雑な鍵違いを得ることができる。
【００５０】
なお、錠本体のキー孔（鍵挿入孔）６の形状は、鍵のブレードＢ、Ｂ１、Ｂ２の半径方向の断面形状に対応して適宜に設計されている。
【産業上の利用可能性】
【００５１】
本発明は、錠前や建具の分野で利用することができる。
【符号の説明】
【００５２】
Ｘ…タンブラー錠、
Ｙ、Ｙ１…合鍵、
Ｚ…可動障害子、
Ｂ、Ｂ１、Ｂ２…ブレード、
ａ、ｂ、ｃ…被係合部分（切欠溝ａ、波状長溝ｂ、窪みｃ）、
１…扉、２…外筒体、３…内筒体、
４…錠先端部、６…キー孔、
７…錠後端部７、８…テールピース、
１１…ロックカム溝、
１２…ロッキングバー、１２ａ…尖端部、１２ｂ…係合板部分、
１３…解錠切欠、１４…付勢バネ、
１５…内筒本体、
１６…仕切板
１８…連結孔、
２２…ガイド兼連結棒（ガイド棒）、
２７…タンブラー収容部、
２８…ダンブラーバネ収容部２８、
Ｚ…可動障害子、
４１、４１Ａ…第１ダンブラー、
５１、５１Ａ…第２ダンブラー、
６１、６１Ａ…第３ダンブラー、
４２…ダンブラーバネ、
４５、５５、６５…係合部分、
４５…第１係合部分、４７…案内長孔、４７Ａ…切断された空間部分、
４８…受け入れ凹所
５５…第２係合部分、６５…第３係合部分、
７１…平坦部、７１ａ…縁部分。
【図１】
2014152593.tif 000003
【図２】
2014152593.tif 000004
【図３】
2014152593.tif 000005
【図４】
2014152593.tif 000006
【図５】
2014152593.tif 000007
【図６】
2014152593.tif 000008
【図７】
2014152593.tif 000009
【図８】
2014152593.tif 000010
【図９】
2014152593.tif 000011
【図１０】
2014152593.tif 000012
【図１１】
2014152593.tif 000013
【図１２】
2014152593.tif 000014
【図１３】
2014152593.tif 000015
【図１４】
2014152593.tif 000016
【図１５】
2014152593.tif 000017
【図１６】
2014152593.tif 000018
【図１７】
2014152593.tif 000019
【図１８】
2014152593.tif 000020
【図１９】
2014152593.tif 000021
【図２０】
2014152593.tif 000022
【図２１】
2014152593.tif 000023
【図２２】
2014152593.tif 000024
【図２３】
2014152593.tif 000025
【図２４】
2014152593.tif 000026
【図２５】
2014152593.tif 000027
【図２６】
2014152593.tif 000028
【図２７】
2014152593.tif 000029
【図２８】
2014152593.tif 000030
【図２９】
2014152593.tif 000031
【図３０】
2014152593.tif 000032
【図３１】
2014152593.tif 000033
【図３２】
2014152593.tif 000034
【図３３】
2014152593.tif 000035
【図３４】
2014152593.tif 000036
【図３５】
2014152593.tif 000037
【図３６】
2014152593.tif 000038
【図３７】
2014152593.tif 000039
【図３８】
2014152593.tif 000040
【図３９】
2014152593.tif 000041
【図４０】
2014152593.tif 000042
【図４１】
2014152593.tif 000043